(57)【特許請求の範囲】
【請求項１】
プラズマディスプレイパネル本体の前面に、ガラスからなる保護板、並びに、基材の一方の面に導電性メッシュを有し、かつ、他方の面に反射防止層及び／又はアンチグレア層を有するフィルタがこの順に装着された構造を有するプラズマディスプレイ装置であって、
前記フィルタの導電性メッシュ側が前記保護板に接着されており、
導電接続材が、前記保護板の側面に沿って配置され、導電性スポンジを介して前記導電接続材と前記プラズマディスプレイパネル本体とが導電接続されることで、
前記導電性メッシュ層と前記プラズマディスプレイパネル本体とが導電接続材及び導電性スポンジにより導電接続されていることを特徴とするプラズマディスプレイ装置。
【請求項２】
導電接続材は、保護板の両面においてフィルタの導電性メッシュ及びプラズマディスプレイパネル本体と接触する形状を有することを特徴とする請求項１記載のプラズマディスプレイ装置。
【発明の詳細な説明】
【技術分野】
【０００１】
本発明は、製造方法が容易で、不良品の発生率を激減させることができるプラズマディスプレイ装置に関する。
【背景技術】
【０００２】
プラズマディスプレイ装置（ＰＤＰ）は、放電セルの内部でＨｅ＋Ｎｅ又はＮｅ＋Ｘｅガスの放電により発生する波長１４７ｎｍの紫外線が、赤（Ｒ）、緑（Ｇ）、青（Ｂ）の蛍光体を励起するとき発生する発光現象を利用した自発光型ディスプレイである。高輝度、高効率、広視野角を有し、５０インチ以上の大型画面のディスプレイ装置にも展開が進んでいる。
【０００３】
ＰＤＰの放電セルからは、ＲＧＢの可視光線以外にも、近赤外線（ＮＩＲ）、Ｎｅプラズマ発光、紫外線（ＵＶ）、プラズマ点火に必要な駆動回路信号に同期した数ＭＨｚ〜数ＧＨｚ帯の電磁波等の、本来ディスプレイに不要とされる電磁波も同時に輻射される。ここでＮＩＲはワイヤレスリモコンの誤動作を、Ｎｅプラズマ発光はディスプレイの色再現性の低下を、ＵＶは視力の低下等の悪影響を、数ＭＨｚ〜数ＧＨｚ帯の電磁波は人体への悪影響や精密機器の誤作動を引き起こす可能性がある。このため、ＰＤＰの前面には、有害な各種輻射電磁波をカットするためのシールドフィルムが装着される（特許文献１等）。
一方、ＰＤＰの前面には、室内蛍光灯などのディスプレイ視認性を低下させる光（外部光）の反射を低減するための反射防止（ＡＲ）膜や映り込みを防止するためのアンチグレア（ＡＧ）膜等も必要とされる。
従来のＰＤＰでは、ガラスからなる保護板の両面に、シールドフィルムと反射防止膜及び／又はアンチグレア膜とを貼合し、これをパネル本体の表面に装着していた。
図１に従来のＰＤＰの一例の模式図を示した。
【０００４】
図１のＰＤＰでは、パネル本体１の前面に、両面にシールドフィルム３と反射防止／アンチグレアフィルム４とが貼着されたガラスからなる保護板２が装着されている。シールドフィルム３は、導電性メッシュ３１を基材３２で挟み込んだ構造を有し、粘着層３３を介して保護板２に貼着されている。反射防止／アンチグレアフィルム４は、基材４２の表面に反射防止膜／アンチグレア膜４１が形成された構造を有し、粘着層４３を介して保護板２に貼着されている。また、シールドフィルム３がその性能を発揮するためには、導電性メッシュ３１がアースされていることが必要であることから、導電性メッシュ３１の一方の基材３２の一部を剥がして導電性メッシュ３１の一部を露出させ、該導電性メッシュ３１とパネル本体１とを導電性スポンジ５を介して導電接続している。
【０００５】
このような従来のＰＤＰの製造方法では、シールドフィルム、反射防止膜及び／又はアンチグレアフィルムを一旦粘着テープと貼合わせたうえで、これをガラスからなる保護板の両面に貼着した後、パネル本体に装着していた。近年では、５０インチサイズを超える大型ディスプレイが続々と上市されてきているが、このような大きなサイズでの粘着テープの貼り付けは極めて難しい工程であり、しばしば貼り付け不良が発生していた。さらに図１のＰＤＰ装置では、粘着層が３層あることから、貼合不良の発生が製造上の深刻な問題となっていた。
【特許文献１】特開２００４−９５８２９号公報
【発明の開示】
【発明が解決しようとする課題】
【０００６】
本発明は、上記現状に鑑み、製造方法が容易で、不良品の発生率を激減させることができるプラズマディスプレイ装置を提供することを目的とする。
【課題を解決するための手段】
【０００７】
本発明は、プラズマディスプレイパネル本体の前面に、ガラスからなる保護板、並びに、基材の一方の面に導電性メッシュを有し、かつ、他方の面に反射防止層及び／又はアンチグレア層を有するフィルタがこの順に装着された構造を有するプラズマディスプレイ装置であって、前記フィルタの導電性メッシュ側が前記保護板に接着されており、導電接続材が、前記保護板の側面に沿って配置され、導電性スポンジを介して前記導電接続材と前記プラズマディスプレイパネル本体とが導電接続されることで、前記導電性メッシュ層と前記プラズマディスプレイパネル本体とが導電接続材及び導電性スポンジにより導電接続されているプラズマディスプレイ装置である。
以下に本発明を詳述する。
【０００８】
本発明者らは、従来のＰＤＰの製造方法を再検討した結果、不良品の発生率が高い原因が粘着層数にあることを見出した。つまり、保護板の両面及び導電性メッシュ面に粘着層を介してフィルムを貼り付けている点にある。例えば、従来のＰＤＰの製造方法では、保護板の両面にシールドフィルムと、反射防止膜及び／又はアンチグレア膜とを貼り付けていたが、いずれかの一方でも貼合に失敗した場合には、一方の貼合は成功しているにも係らず、もはや使いものにはならない。検査工程においていずれか一方の面でも貼合不良が発見された場合には、粘着フィルムを剥離してガラスを再利用するリワーク工程に送るほかない。このように、保護板の両面にフィルムを貼着するという構成となっていたことが、不良品の発生率を相乗的に増大させてしまっていたと考えられる。
【０００９】
本発明者らは、鋭意検討の結果、基材の一方の面に導電性メッシュを有し、かつ、他方の面に反射防止層及び／又はアンチグレア層を有するフィルタを調製しこれを保護板に貼付するようにすることにより、貼合工程を片面にのみ限定することができ、飛躍的に不良品の発生率を低減できることを見出した。
【００１０】
従来の導電性メッシュの製造方法は、基材上に銅箔を貼合し、フォトリソグラフィーやスクリーン印刷法によってメッシュ状にレジスト膜を形成した後、メッシュ以外の部分（開口部）をエッチングにより除去する方法；基材上にグラビア印刷やオフセット印刷法を用いてメッシュ状に触媒を印刷した後、該触媒を核として無電解めっきを行う方法等により製造されていた。この方法では基材の耐酸性、耐アルカリ性、耐溶剤性等を考慮する必要があり、一つの基材上に導電性メッシュ層と反射防止層及び／又はアンチグレア層とを載せること自体が困難であった。従って、そもそも「貼合工程を片面にのみ限定できる」という発想自体が検討される余地がなかった。
【００１１】
これに対して、本発明者らは、基材に銀等を含む導電性ペーストをスクリーン印刷法によって直接印刷することにより導電性メッシュを形成する方法を開発した（特開２００７−１４２３３４号公報）。この技術により、はじめて、一つの基材上に導電性メッシュと反射防止層及び／又はアンチグレア層とを載せることが可能となった。これにより、本発明者らがはじめて、基材の一方の面に導電性メッシュ層を有し、かつ、他方の面に反射防止層及び／又はアンチグレア層を有するフィルタを調製し、これを保護板に貼付するという技術思想の検討を開始することができた。
【００１２】
一方、実際に、基材の一方の面に導電性メッシュを有し、かつ、他方の面に反射防止層及び／又はアンチグレア層を有するフィルタを貼合した保護板をプラズマディスプレイパネル本体に装着すると別の問題も生ずる。上述のようにフィルタが電磁波機能を発揮するためには、導電性メッシュがアースされていることが必要である。従来のＰＤＰでは図１に示したように、導電性メッシュとパネル本体とを導電性スポンジを介して導電接続していた。ところが、本発明のように基材の一方の面に導電性メッシュを有し、かつ、他方の面に反射防止層及び／又はアンチグレア層を有するフィルタを貼合した保護板をプラズマディスプレイパネル本体に装着した場合には、導電性メッシュとパネル本体との導電接続が困難となる。図１に示したＰＤＰと同様の技術思想を応用して、導電性メッシュの一部を露出させ、該導電性メッシュとパネル本体とを導電性スポンジを押圧することにより導電接続する図２の態様も検討した。しかしながら該態様では、押圧の圧力を大きくすることが困難で接続信頼性に欠けるうえ、はみ出した導電性メッシュが保管時や運搬時に折れてしまったりする等の課題も発生した。
これに対して本発明者らは、更に鋭意検討の結果、導電性メッシュ層とプラズマディスプレイパネル本体とを導電接続材により導電接続することによりこの課題を解決した。
【００１３】
上記導電接続材としては充分な導電性を有するものであれば特に限定されず、例えば、金、銀、銅、ニッケル、パラジウム、カーボン、アルミニウム等の導電性の高い金属からなる導電性テープ、カーボンブラック等の導電性非金属を含有する非金属導電性テープ等を用いることができる。
上記金属からなる導電性テープ及び非金属性導電性テープにおいては、導電性テープの片面に粘着層を用いることができる。これは、ガラスからなる保護板に導電性テープを固定するとともに、粘着層の緩衝性により導電性面とパネル本体とを確実に接触させることができるためである。なお、上記粘着層の緩衝性が強い場合は、導電性スポンジを不要とできる。
【００１４】
上記導電性テープの粘着層の材質としては特に限定されず、例えば、アクリル系、シリコーン系、ゴム系が挙げられる。なかでもアクリル系は、上記保護板と強固に固定できるともに、緩衝性にも優れていることから好適である。
上記導電性テープの粘着層の厚みとしては特に限定されないが、好ましい下限は１０μｍ、好ましい上限は５０μｍである。
【００１５】
また、上記導電性テープの粘着層自体が導電性を持ったものを用いてもよい。この場合、粘着剤に金、銀、銅、ニッケル、パラジウム、カーボン、アルミニウム、カーボンブラック等の導電性粉末を分散させ、フィルム状に加工した導電性粘着テープを用いてもよい。上記導電性を持った粘着層の材質としては特に限定されず、例えば、アクリル系、シリコーン系、ゴム系が挙げられる。なかでもアクリル系は、保護板と強固に固定できるともに、緩衝力、導電性粉末の分散性にも優れていることから好適である。
上記導電性を持った粘着層の厚みとしては特に限定されないが、好ましい下限は１０μｍ、好ましい上限は１００μｍである。
【００１６】
上記導電接続材の形状としては特に限定されないが、例えば、上記ガラスからなる保護板の側面に沿って配置され、保護板の両面において上記フィルタの導電性メッシュ層及びプラズマディスプレイパネル本体と接触する形状を有していることが好ましい。
【発明の効果】
【００１７】
本発明によれば、製造方法が容易で、不良品の発生率を激減させることができるプラズマディスプレイ装置を提供することができる。
【発明を実施するための最良の形態】
【００１８】
以下、本発明を実施の形態に則して説明する。
本発明のプラズマディスプレイ装置の一実施態様の模式図を図３に示した。
図３のＰＤＰでは、パネル本体１の前面に、片面にフィルタ６が貼着されたガラスからなる保護板２が装着されている。フィルタ６は、基材６２の一方の面に導電性メッシュ６１が、他方の面に反射防止膜／アンチグレア膜６３が形成された構造を有し、粘着層６４を介して導電性メッシュ６１側が保護板２に貼着されている。導電性メッシュ６１とパネル本体１とは導電接続材７を介して導電接続されている。導電接続材７は、保護板２の側面に沿って配置され、保護板の両面に内側に織り込まれている。このような導電接続材７を用いることにより、フィルタ６側ではそのまま導電性メッシュ６１が導電接続材７に接触し、パネル本体１側では従来の導電性スポンジ５を介して容易に導電接続材７がパネル本体１に導電接続される。
【００１９】
本発明のプラズマディスプレイ装置の他の実施態様の模式図を図４に示した。
図４のＰＤＰは、導電接続材７を用いた導電接続方法以外は図３のＰＤＰと同一である。
導電接続材７は、保護板２の側面に沿って配置され、フィルタ６側では外側に、パネル本体１側では内側に織り込まれている。フィルタ６はごくわずかに保護板２からはみ出しており、そのはみ出し部分において導電性メッシュ６１が導電接続材７に接触している。このはみ出し部分の長さや形状は、輸送時やパネル本体装着時に支障がないように適宜選定される。パネル本体１側の導電接続は、図３のＰＤＰと同様である。
【００２０】
本発明はパネル本体への「貼合工程を片面にのみ限定できる」ことが特徴の一つであるが、別段、図３、図４において、別途パネル本体１側に反射防止フィルムを貼合しても構わない。但し、導電接続材７と導電性スポンジ５の接触が損なわれないように接触部を露出させて貼合させる必要がある。この場合でも、図１と比較して、粘着層数が２まで低減できることから、不良品の発生率を大きく下げることができる。
【００２１】
導電接続材７を用いた導電接続方法としては、図５の（ａ）、（ｂ）に示したような態様も考えられる。
【産業上の利用可能性】
【００２２】
本発明によれば、製造方法が容易で、不良品の発生率を激減させることができるプラズマディスプレイ装置を提供できる。
【図面の簡単な説明】
【００２３】
【図１】従来のＰＤＰの一例を示す模式図である。
【図２】従来のＰＤＰと同様の技術思想を応用した導電接続方法を説明する模式図である。
【図３】本発明のプラズマディスプレイ装置の一実施態様を示す模式図である。
【図４】本発明のプラズマディスプレイ装置の他の実施態様を示す模式図である。
【図５】導電接続材７を用いた導電接続方法の他の実施態様を示す模式図である。
【符号の説明】
【００２４】
１  パネル本体１
２  ガラスからなる保護板
３  シールドフィルム
３１  導電性メッシュ
３２  基材
３３  粘着層
４  反射防止／アンチグレアフィルム
４１  反射防止膜／アンチグレア膜
４２  基材
４３  粘着層
５  導電性スポンジ
６  フィルタ
６１  導電性メッシュ
６２  基材
６３  反射防止膜／アンチグレア膜
６４  粘着層
７  導電接続材
【図１】
0005111012.tif 000002
【図２】
0005111012.tif 000003
【図３】
0005111012.tif 000004
【図４】
0005111012.tif 000005
【図５】
0005111012.tif 000006